(57)【要約】【課題】表示機器を用いて画像を再生する機能を有する再生装置において、画像を表示機器に再生している際の省エネルギー化を図ることが可能な再生装置及びその制御方法を提供すること。【解決手段】デジタルカメラ１００からＴＶ２００に撮影画像を送信した後で、デジタルカメラ１００のＨＤＭＩ端子部１０７を介してＴＶ２００からリモコン４００の操作に伴う制御信号が受信された場合に、制御部１０５は背面ＬＣＤ１０２ａとタッチパネル１０２ｂの電源をオフさせる。【選択図】図１
2014112893.tif 000002
【特許請求の範囲】
【請求項１】
画像を表示する表示部と、
当該再生装置における操作指示を行うための操作部と、
上記表示部と上記操作部とを動作させるためのエネルギーを供給する制御を行う電源制御部と、
当該再生装置の外部に配置される表示機器に上記画像を表示させるための信号を上記表示機器に対して送信するとともに、上記表示機器から当該再生装置の制御信号を受信する信号送受信部と、
を具備し、
上記電源制御部は、上記信号送受信部が上記表示機器から上記制御信号を受信した場合に、上記表示部と上記操作部の少なくともいずれか一方に供給するエネルギーを少なくし、上記表示機器からの上記制御信号は、上記表示機器により受信される遠隔操作コマンドを送信する遠隔操作装置がユーザにより操作されたか否かに基づき、そして応答するものであって、さらに上記表示部と上記操作部の少なくともいずれか一方に供給するエネルギーを少なくしている間に上記操作部の操作がなされた場合に、上記表示部と上記操作部の少なくともいずれか一方に供給するエネルギーを少なくすることを停止することを特徴とする再生装置。
【請求項２】
上記表示部と上記操作部とは一体的に構成されることを特徴とする請求項１に記載の再生装置。
【請求項３】
画像を表示する表示部と、
当該再生装置における操作指示を行うための操作部と、
上記表示部と上記操作部とを動作させるためのエネルギーを供給する制御を行う電源制御部と、
当該再生装置の外部に配置される表示機器に上記画像を表示させるための信号を上記表示機器に対して送信するとともに、上記表示機器から当該再生装置の制御信号を受信する信号送受信部と、
当該再生装置の振動を検知する振動検知部と、
を具備し、
上記電源制御部は、上記信号送受信部が上記表示機器から上記制御信号を受信した場合に、上記表示部と上記操作部の少なくともいずれか一方に供給するエネルギーを少なくし、上記表示機器からの上記制御信号は、上記表示機器により受信される遠隔操作コマンドを送信する遠隔操作装置がユーザにより操作されたか否かに基づき、そして応答するものであって、さらに上記表示部と上記操作部の少なくともいずれか一方に供給するエネルギーを少なくしている間に上記振動検知部の出力に基づいて振動を検知した場合に、上記表示部と上記操作部の少なくともいずれか一方に供給するエネルギーを少なくすることを停止することを特徴とする再生装置。
【請求項４】
画像を表示する表示部と、操作指示を行うための操作部とを備えている再生装置の制御方法において、
当該再生装置の外部に配置される表示機器に上記画像を表示させるための信号を、上記表示機器に対して送信するとともに、上記表示機器から当該再生装置の制御信号を受信し、かつ、画像を上記表示機器へ送信を完了している場合に、上記表示部と上記操作部の少なくとも何れか一方に供給するエネルギーを少なくし、
上記表示機器からの上記制御信号は、上記表示機器により受信される遠隔操作コマンドを送信する遠隔操作装置がユーザにより操作されたか否かに基づき、そして応答するものであって、
上記表示部と上記操作部の少なくとも何れか一方に供給するエネルギーを少なくしている状態にて上記操作部の操作がなされた場合に、上記表示部と上記操作部の少なくともいずれか一方に供給するエネルギーを少なくすることを停止することを特徴とする再生装置の制御方法。
【請求項５】
画像を表示する表示部と、操作指示を行うための操作部と、振動を検知する振動検知部を備えている再生装置の制御方法において、
当該再生装置の外部に配置される表示機器に上記画像を表示させるための信号を、上記表示機器に対して送信するとともに、上記表示機器から当該再生装置の制御信号を受信し、かつ、画像を上記表示機器へ送信を完了している場合に、上記表示部と上記操作部の少なくとも何れか一方に供給するエネルギーを少なくし、
上記表示機器からの上記制御信号は、上記表示機器により受信される遠隔操作コマンドを送信する遠隔操作装置がユーザにより操作されたか否かに基づき、そして応答するものであって、
上記表示部と上記操作部の少なくとも何れか一方に供給するエネルギーを少なくしている状態にて上記振動検知部の出力に基づいて振動が検知なされた場合に、上記表示部と上記操作部の少なくともいずれか一方に供給するエネルギーを少なくすることを停止することを特徴とする再生装置の制御方法。
【発明の詳細な説明】
【技術分野】
【０００１】
本発明は、表示機器を用いて画像を再生する機能を有する再生装置及びその制御方法に関する。
【背景技術】
【０００２】
近年、デジタルカメラ等の撮影装置で撮影された画像をテレビジョン受像機（以下、ＴＶと略記する）等の撮影装置の外部の表示機器に送信することで、撮影装置で撮影された画像を表示機器の画面上で再生可能としたシステムが各種提案されている。このような外部の表示機器での画像再生の技術に関して例えば特許文献１の技術が提案されている。この特許文献１では、デジタルカメラとＴＶとをＨＤＭＩ（High Definition Multimedia Interface）（登録商標）によって通信可能に接続し、デジタルカメラにおいて再生されている高解像度の画像をテレビジョン受像機に送信して高解像の画像表示を可能としている。
【先行技術文献】
【特許文献】
【０００３】
【特許文献１】特開２００７−３１１９２７号公報
【発明の概要】
【発明が解決しようとする課題】
【０００４】
特許文献１等の技術によってＴＶの画面上に画像を表示させている間の、ＴＶの画面上での各種の操作は、例えばＴＶのリモートコントローラ（以下、リモコンと略記する）によって行えるようにすることが多い。この場合、撮影装置側はユーザによって全く操作がなされない状況となる。ＨＤＭＩを利用した画像表示を行っている際にも撮影装置からＴＶへは画像を送り続ける必要はあるが、この画像の送信動作以外の撮影装置側における不必要な電力消費は避けるべきである。
【０００５】
本発明は、上記の事情に鑑みてなされたもので、表示機器を用いて画像を再生する機能を有する再生装置において、画像を表示機器に再生している際の省エネルギー化を図ることが可能な再生装置及びその制御方法を提供することを目的とする。
【課題を解決するための手段】
【０００６】
上記の目的を達成するために、本発明の第１の態様の再生装置は、画像を表示する表示部と、当該再生装置における操作指示を行うための操作部と、上記表示部と上記操作部とを動作させるためのエネルギーを供給する制御を行う電源制御部と、当該再生装置の外部に配置される表示機器に上記画像を表示させるための信号を上記表示機器に対して送信するとともに、上記表示機器から当該再生装置の制御信号を受信する信号送受信部とを具備し、上記電源制御部は、上記信号送受信部が上記表示機器から上記制御信号を受信した場合に、上記表示部と上記操作部の少なくともいずれか一方に供給するエネルギーを少なくし、上記表示機器からの上記制御信号は、上記表示機器により受信される遠隔操作コマンドを送信する遠隔操作装置がユーザにより操作されたか否かに基づき、そして応答するものであって、さらに上記表示部と上記操作部の少なくともいずれか一方に供給するエネルギーを少なくしている間に上記操作部の操作がなされた場合に、上記表示部と上記操作部の少なくともいずれか一方に供給するエネルギーを少なくすることを停止することを特徴とする。
上記の目的を達成するために、本発明の第２の態様の再生装置は、画像を表示する表示部と、当該再生装置における操作指示を行うための操作部と、上記表示部と上記操作部とを動作させるためのエネルギーを供給する制御を行う電源制御部と、当該再生装置の外部に配置される表示機器に上記画像を表示させるための信号を上記表示機器に対して送信するとともに、上記表示機器から当該再生装置の制御信号を受信する信号送受信部と、当該再生装置の振動を検知する振動検知部とを具備し、上記電源制御部は、上記信号送受信部が上記表示機器から上記制御信号を受信した場合に、上記表示部と上記操作部の少なくともいずれか一方に供給するエネルギーを少なくし、上記表示機器からの上記制御信号は、上記表示機器により受信される遠隔操作コマンドを送信する遠隔操作装置がユーザにより操作されたか否かに基づき、そして応答するものであって、さらに上記表示部と上記操作部の少なくともいずれか一方に供給するエネルギーを少なくしている間に上記振動検知部の出力に基づいて振動を検知した場合に、上記表示部と上記操作部の少なくともいずれか一方に供給するエネルギーを少なくすることを停止することを特徴とする。
上記の目的を達成するために、本発明の第３の態様の再生装置の制御方法は、画像を表示する表示部と、操作指示を行うための操作部とを備えている再生装置の制御方法において、当該再生装置の外部に配置される表示機器に上記画像を表示させるための信号を、上記表示機器に対して送信するとともに、上記表示機器から当該再生装置の制御信号を受信し、かつ、画像を上記表示機器へ送信を完了している場合に、上記表示部と上記操作部の少なくとも何れか一方に供給するエネルギーを少なくし、上記表示機器からの上記制御信号は、上記表示機器により受信される遠隔操作コマンドを送信する遠隔操作装置がユーザにより操作されたか否かに基づき、そして応答するものであって、上記表示部と上記操作部の少なくとも何れか一方に供給するエネルギーを少なくしている状態にて上記操作部の操作がなされた場合に、上記表示部と上記操作部の少なくともいずれか一方に供給するエネルギーを少なくすることを停止することを特徴とする。
上記の目的を達成するために、本発明の第４の態様の再生装置の制御方法は、画像を表示する表示部と、操作指示を行うための操作部と、振動を検知する振動検知部を備えている再生装置の制御方法において、当該再生装置の外部に配置される表示機器に上記画像を表示させるための信号を、上記表示機器に対して送信するとともに、上記表示機器から当該再生装置の制御信号を受信し、かつ、画像を上記表示機器へ送信を完了している場合に、上記表示部と上記操作部の少なくとも何れか一方に供給するエネルギーを少なくし、上記表示機器からの上記制御信号は、上記表示機器により受信される遠隔操作コマンドを送信する遠隔操作装置がユーザにより操作されたか否かに基づき、そして応答するものであって、上記表示部と上記操作部の少なくとも何れか一方に供給するエネルギーを少なくしている状態にて上記振動検知部の出力に基づいて振動が検知なされた場合に、上記表示部と上記操作部の少なくともいずれか一方に供給するエネルギーを少なくすることを停止することを特徴とする。
【発明の効果】
【０００７】
本発明によれば、表示機器を用いて画像を再生する機能を有する再生装置において、画像を表示機器に再生している際の省エネルギー化を図ることが可能な再生装置及びその制御方法を提供することができる。
【図面の簡単な説明】
【０００８】
【図１】本発明の第１の実施形態に係る撮影装置を有する画像再生システムの構成を示す図である。
【図２】本発明の第１の実施形態におけるデジタルカメラの起動後に行われる撮影モード時の動作について示すフローチャートである。
【図３】デジタルカメラの再生モード時の動作について示すフローチャートである。
【図４】ＴＶ画面上でのアルバムを示すサムネイル画像表示の例を示す図である。
【図５】デジタルカメラの画面上でのアルバムに記録されている撮影画像を示すサムネイル画像表示の例を示す図である。
【図６】ＴＶ画面に撮影画像が表示された後のリモコン操作の例を示す図である。
【図７】本発明の第１の実施形態に係る画像再生システムの使用例を示す図である。
【図８】本発明の第２の実施形態におけるデジタルカメラの起動後に行われる撮影モード時の動作について示すフローチャートである。
【図９】本発明の第２の実施形態に係る画像再生システムの使用例を示す図である。
【発明を実施するための形態】
【０００９】
以下、図面を参照して本発明の実施形態を説明する。  
［第１の実施形態］
まず、本発明の第１の実施形態について説明する。図１は、本発明の第１の実施形態に係る撮影装置を有する画像再生システムの構成を示す図である。図１に示す画像再生システムは、本実施形態に係る撮影装置の一例としてのデジタルカメラ１００と、本実施形態に係る表示機器の一例としてのテレビジョン受像機（ＴＶ）２００とがＨＤＭＩケーブル３００を介して通信自在に接続されて構成されている。さらに、ＴＶ２００はリモートコントローラ（リモコン）４００によって遠隔操作自在になされている。
【００１０】
デジタルカメラ１００は、撮像部１０１と、表示パネル１０２と、記録部１０３と、振動検知部１０４と、制御部１０５と、操作ボタン部１０６と、ＨＤＭＩ端子部１０７とを有している。
【００１１】
撮像部１０１は、図示しない被写体の像を集光するためのレンズや、レンズによって集光された被写体の像を電気信号に変換する撮像素子等を有している。この撮像部１０１は、被写体に対して撮像を実行して被写体の静止画像を取得する。なお、撮像部１０１による撮像を連続的に実行することで動画像も取得可能である。以下、静止画像と動画像を特に区別せず、単に画像と称する。
【００１２】
表示パネル１０２は、背面液晶ディスプレイ（ＬＣＤ）１０２ａとタッチパネル１０２ｂとを有している。表示部としての機能を有する背面ＬＣＤ１０２ａは、例えばデジタルカメラ１００の本体背面に配置され、制御部１０５の表示制御部１０５ａの制御に従って、撮像部１０１で取得された画像等の各種の画像を表示する。操作部としての機能を有するタッチパネル１０２ｂは、背面ＬＣＤ１０２ａと一体的に形成され、背面ＬＣＤ１０２ａに表示されたタッチパネル用のボタンへのユーザの指等の接触の有無を検出し、接触の有無を示す信号を制御部１０５に出力する。
【００１３】
記録部１０３は、撮像部１０１で取得された画像が記録される。この記録部１０３は、例えば、デジタルカメラ１００に対して着脱自在になされた半導体メモリカードである。
【００１４】
振動検知部１０４は、例えば角速度センサから構成され、デジタルカメラ１００の本体に発生する振動を検知し、振動に対応した信号を制御部１０５に出力する。
【００１５】
制御部１０５は、デジタルカメラ１００内部の各ブロックの制御を行う。例えば、制御部１０５は、撮像部１０１の動作制御や撮像部１０１で取得された画像に対する画像処理を行う。また、制御部１０５は、表示制御部１０５ａを有し、撮像部１０１で取得された画像や記録部１０３に記録された画像を表示パネル１０２の背面ＬＣＤ１０２ａに表示させる制御も行う。さらに、制御部１０５は、電源制御部１０５ｂを有し、撮像部１０１、表示パネル１０２、操作ボタン部１０６といったデジタルカメラ１００内部の各ブロックの動作に必要なエネルギーを、図示しない電源（例えば二次電池）を用いて供給する制御を行う。
【００１６】
操作ボタン部１０６は、ユーザがデジタルカメラ１００の各種の操作を行うための操作ボタンを含む操作部である。操作ボタン部１０６の操作を識別して制御部１０５は、操作ボタン部１０６の操作に対応する処理を実行する。
【００１７】
信号送受信部としての機能を有するＨＤＭＩ端子部１０７は、デジタルカメラ１００がＴＶ２００との間でＨＤＭＩ通信を行うためのインタフェースを含むデジタルカメラ１００側の端子部である。このＨＤＭＩ端子部１０７を介してデジタルカメラ１００からＴＶ２００に画像の送信を行うとともに、ＴＶ２００からデジタルカメラ１００の制御信号の受信を行う。ここで、図１ではデジタルカメラ１００とＴＶ２００とがＨＤＭＩケーブル３００を介してＨＤＭＩ通信可能に有線接続されている例を示している。これに限らず、デジタルカメラ１００とＴＶ２００とを無線インタフェースを介して接続するようにしても良い。
【００１８】
ＴＶ２００は、ＨＤＭＩ端子部２０１と、表示部２０２と、表示制御部２０３と、リモコン信号受信部２０４と、画像加工部２０５とを有している。
【００１９】
ＨＤＭＩ端子部２０１は、ＴＶ２００がデジタルカメラ１００がとの間でＨＤＭＩ通信を行うためのインタフェースを含むＴＶ２００側の端子部である。
【００２０】
表示部２０２は、ＨＤＭＩ端子部２０１を介してデジタルカメラ１００から受信される画像を、表示制御部２０３の制御に従って表示する。この表示部２０２は、例えば液晶ディスプレイ（ＬＣＤ）で構成されている。なお、表示部２０２は、ＴＶ２００の図示しないアンテナを介して受信されるテレビジョン放送に基づく映像も表示可能である。
【００２１】
表示制御部２０３は、表示部２０２の表示動作の制御等を含む、ＴＶ２００内部の各ブロックの制御を行う。リモコン信号受信部２０４は、ＴＶ２００のリモートコントローラ（リモコン）４００からのリモコン信号を受信する。リモコン信号受信部２０４で受信されたリモコン信号を識別して表示制御部２０３は、リモコン４００の操作に対応した処理を実行する。また、表示制御部２０３は、リモコン信号の識別の結果、必要に応じて、デジタルカメラ１００に制御信号を送信する。
【００２２】
画像加工部２０５は、撮影画像の加工用の画像を記憶している。リモコン４００による反映指示がなされた場合には画像加工部２０５に記憶されている加工用の画像がデジタルカメラ１００に送信される。なお、画像加工部２０５の動作の詳細については第２の実施形態において説明する。
【００２３】
遠隔操作装置としての機能を有するリモコン４００は、リモコン操作部４０１と、リモコン制御部４０２と、リモコン信号送信部４０３とを有している。
【００２４】
リモコン操作部４０１は、ユーザがリモコン４００を操作するための各種の操作ボタンである。リモコン制御部４０２は、リモコン操作部４０１の操作を識別し、リモコン操作部４０１の操作内容に対応したリモコン信号を生成してリモコン信号送信部４０３に出力する。リモコン信号送信部４０３は、リモコン制御部４０２において生成されたリモコン信号を例えば赤外線通信によってＴＶ２００のリモコン信号受信部２０４に送信する。
【００２５】
以下、図１に示した画像再生システムの動作の詳細について説明する。なお、本実施形態におけるＴＶ２００はデジタルカメラ１００から送信される画像を表示する動作とリモコン４００が操作された場合にリモコン４００の操作内容を示す制御信号をデジタルカメラ１００に送信する動作とを行うだけである。したがって、以後の説明においてはデジタルカメラ１００側の動作について特に説明する。
【００２６】
図２は、本発明の第１の実施形態におけるデジタルカメラ１００の起動後に行われる撮影モード時の動作について示すフローチャートである。デジタルカメラ１００の起動後、制御部１０５は、まず、デジタルカメラ１００の動作モードが撮影モードであるか否かを判定する（ステップＳ１０１）。なお、動作モードは例えばユーザのタッチパネル１０２ｂの操作や操作ボタン部１０６の操作によって設定されるものである。ステップＳ１０１の判定において、デジタルカメラ１００の動作モードが撮影モードでなく、再生モードである場合に、制御部１０５は再生モードの処理を行う。この再生モード時の動作については後述する。
【００２７】
また、ステップＳ１０１の判定において、デジタルカメラ１００の動作モードが撮影モードである場合に、制御部１０５は、スルー画表示を開始させるべく、背面ＬＣＤ１０２ａの電源をオンさせる（ステップＳ１０２）。また、制御部１０５は、タッチパネル１０２ｂの電源もオンさせる（ステップＳ１０３）。
【００２８】
背面ＬＣＤ１０２ａ、タッチパネル１０２ｂの電源をオンさせた後、制御部１０５は、ＨＤＭＩ端子部１０７の信号状態から、ＨＤＭＩケーブル３００を介してＴＶ２００と接続されているか否かを判定する（ステップＳ１０４）。ステップＳ１０４の判定において、ＨＤＭＩ接続がなされていない場合に、制御部１０５は、撮像部１０１の電源をオンさせるとともに、撮像部１０１による撮像を行わせて画像の取り込みを行う（ステップＳ１０５）。そして、制御部１０５は、撮像部１０１の動作によって得られるスルー画像に対してスルー画表示用の画像処理（縮小処理等）を施した後、この処理したスルー画像を背面ＬＣＤ１０２ａに表示させるスルー画表示を行う（ステップＳ１０６）。このようなスルー画表示により、ユーザは撮影開始のタイミングや構図等を決定することが可能である。なお、図２には示していないが、スルー画表示の際に、制御部１０５は、撮像部１０１を介して得られる画像の輝度から、後述する撮影時における撮像部１０１の適正露出量を算出する処理を行うものとする。
【００２９】
スルー画表示の実行後、制御部１０５は、ユーザによるタッチパネル１０２ｂ又は操作ボタン部１０６の操作がなされたか否かを判定する（ステップＳ１０７）。ステップＳ１０７の判定において、タッチパネル１０２ｂ又は操作ボタン部１０６の操作がなされた場合に、制御部１０５は、タッチパネル１０２ｂ又は操作ボタン部１０６の操作に応じた処理（例えば、モードの設定や撮影条件の設定等）を行う（ステップＳ１０８）。また、ステップＳ１０７の判定において、タッチパネル１０２ｂ又は操作ボタン部１０６の操作がなされていない場合に、制御部１０５は、ステップＳ１０８の処理をスキップする。
【００３０】
ステップＳ１０７、Ｓ１０８の後、制御部１０５は、ユーザによって撮影操作がなされたか否かを判定する（ステップＳ１０９）。撮影操作がなされたか否かの判定は、例えば操作ボタン部１０６に含まれるレリーズボタンがユーザによって押されたか否かを判定することによって行う。ステップＳ１０９の判定において、撮影操作がなされていない場合には処理がステップＳ１０１に戻り、制御部１０５は、動作モードの判定を再び行う。一方、ステップＳ１０９の判定において、撮影操作がなされた場合に、制御部１０５は、スルー画表示時に算出した露出量に従って撮像部１０１を動作させて画像の取得を行う（ステップＳ１１０）。このような撮影動作の後、制御部１０５は、撮影動作によって取得した撮影画像に対して記録用の画像処理（圧縮処理等）を施した後、この処理した撮影画像を記録部１０３に記録させる（ステップＳ１１１）。なお、撮影により得られる撮影画像はフォルダ内に複数まとめて記録することができる。以下の説明においてはこの複数の撮影画像が記録された個々のフォルダをアルバムと称する。ステップＳ１１１の撮影画像の記録後、処理がステップＳ１０１に戻り、制御部１０５は、動作モードの判定を再び行う。
【００３１】
また、ステップＳ１０４の判定において、ＨＤＭＩ接続がなされている場合には、デジタルカメラ１００からＴＶ２００に画像を送信して表示させる処理を行う。このために、制御部１０５は、撮像部１０１の電源をオンさせるとともに、撮像部１０１による撮像を行わせて画像の取り込みを行う（ステップＳ１１２）。そして、制御部１０５は、撮像部１０１の動作によって得られるスルー画像に対してスルー画表示用の画像処理（縮小処理等）を施した後、この処理したスルー画像を背面ＬＣＤ１０２ａに表示させるスルー画表示を行う（ステップＳ１１３）。
【００３２】
スルー画表示の実行後、制御部１０５は、ＴＶ２００に撮影画像を送信済みであるか否かを判定する（ステップＳ１１４）。ステップＳ１１４の判定において、後述するステップＳ１２０の処理において撮影画像を送信済みである場合に、制御部１０５は、送信した撮影画像を、ＨＤＭＩ端子部１０７を介して再びＴＶ２００に送信する（ステップＳ１１５）。また、ステップＳ１１４の判定において、撮影画像を送信済みでない場合に、制御部１０５は、スルー画像を、ＨＤＭＩ端子部１０７を介してＴＶ２００に送信する（ステップＳ１１６）。これらのような処理を行うことによって、撮影画像又はスルー画像をＨＤＭＩ通信によってＴＶ２００の表示部２０２に表示させることが可能である。
【００３３】
画像送信の実行後、制御部１０５は、ユーザによって撮影操作がなされたか否かを判定する（ステップＳ１１７）。ステップＳ１１７の判定において、撮影操作がなされた場合に、制御部１０５は、スルー画表示時に算出した露出量に従って撮像部１０１を動作させて画像の取得を行う（ステップＳ１１８）。このような撮影動作の後、制御部１０５は、撮影動作によって取得した撮影画像に対して記録用の画像処理（圧縮処理等）を施した後、この処理した撮影画像を記録部１０３に記録させる（ステップＳ１１９）。その後、制御部１０５は、記録部１０３に記録させた撮影画像を、ＨＤＭＩ端子部１０７を介してＴＶ２００に送信する（ステップＳ１２０）。一方、ステップＳ１１７の判定において、撮影操作がなされていない場合に、制御部１０５はステップＳ１１８〜Ｓ１２０の処理をスキップする。
【００３４】
ステップＳ１１７又はステップＳ１２０の後、制御部１０５は、ユーザによってリモコン４００が操作されたか、即ちＨＤＭＩ端子部１０７を介して制御信号が受信されたか否かを判定する（ステップＳ１２１）。ステップＳ１２１の判定において、制御信号が受信されていない場合には処理がステップＳ１０４に戻る。この場合に、制御部１０５は、ＨＤＭＩ接続がなされているか否かを再び判定する。また、ステップＳ１２１の判定において、制御信号が受信された場合に、制御部１０５は、ＴＶ２００に撮影画像を送信済みであるか否かを判定する（ステップＳ１２２）。ステップＳ１２２の判定において、撮影画像を送信済みでない場合には処理がステップＳ１０４に戻る。この場合に、制御部１０５は、ＨＤＭＩ接続がなされているか否かを再び判定する。
【００３５】
また、ステップＳ１２２の判定において、撮影画像を送信済みである場合に、制御部１０５は、背面ＬＣＤ１０２ａの電源をオフさせる（ステップＳ１２３）。また、制御部１０５は、タッチパネル１０２ｂの電源もオフさせる（ステップＳ１２４）。
【００３６】
背面ＬＣＤ１０２ａ、タッチパネル１０２ｂの電源をオフさせた後、制御部１０５は、ＨＤＭＩ端子部１０７を介して、リモコン４００の操作の詳細を示す制御信号を受信する（ステップＳ１２５）。そして、制御部１０５は、受信した制御信号からリモコン４００の操作の内容に応じた処理（例えば、送信する撮影画像の切り替え等）を行う（ステップＳ１２６）。その後、制御部１０５は、ＨＤＭＩ端子部１０７を介した撮影画像の送信を所定時間繰り返す（ステップＳ１２７）。そして、所定時間の経過後、制御部１０５は、背面ＬＣＤ１０２ａの電源をオンさせる（ステップＳ１２８）。また、制御部１０５は、タッチパネル１０２ｂの電源もオンさせる（ステップＳ１２９）。その後、処理がステップＳ１０４に戻り、制御部１０５は、ＨＤＭＩ接続がなされているか否かを再び判定する。
【００３７】
このように、本実施形態では、撮影画像がＴＶ２００に送信済み（ＴＶ２００に撮影画像が表示中）であり且つリモコン４００が操作された場合に、背面ＬＣＤ１０２ａ、タッチパネル１０２ｂの電源をオフさせるようにしている。即ち、撮影画像がＴＶ２００に表示中であり且つリモコン４００が操作されたような状況においては、ユーザがデジタルカメラ１００の操作を行うことは殆どないと考えられる。このような期間においても背面ＬＣＤ１０２ａによるスルー画像表示を行うのは電力の無駄であると考えられるので、本実施形態では背面ＬＣＤ１０２ａの電源をオフさせることで省エネルギー化を図る。また、背面ＬＣＤ１０２ａの電源をオフすると、タッチパネル１０２ｂのボタンも見られなくなる。このため、本実施形態では背面ＬＣＤ１０２ａの電源をオフさせるのに伴ってタッチパネル１０２ｂの電源もオフさせるようにしている。
【００３８】
また、撮影モード時においては、背面ＬＣＤ１０２ａ、タッチパネル１０２ｂの電源をオフさせた後であっても、所定時間の経過後に背面ＬＣＤ１０２ａ、タッチパネル１０２ｂの電源をオンさせるようにしている。このため、撮影画像の送信後に再び撮影が行われる場合等において、背面ＬＣＤ１０２ａの表示が見えなくなったりするような不具合が発生する可能性を低減することも可能である。
【００３９】
ここで、本実施形態は必ずしも背面ＬＣＤ１０２ａとタッチパネル１０２ｂの両方の電源をオフさせるものに限定されるものではなく、何れか一方のみの電源をオフさせるようにしても良い。また、完全に電源をオフさせるのではなく、背面ＬＣＤ１０２ａ、タッチパネル１０２ｂに供給するエネルギー量を少なくするようにしても良い。
【００４０】
図３は、デジタルカメラ１００の再生モード時の動作について示すフローチャートである。図３において、制御部１０５は、まず、ユーザによって再生モードの終了操作がなされたか否かを判定する（ステップＳ１３０）。なお、再生モードの終了操作は例えば動作モードを撮影モードに変更する操作である。ステップＳ１３０の判定において、再生モードの終了操作がなされた場合に、制御部１０５は図２のカメラ起動後の処理を行う。
【００４１】
また、ステップＳ１３０の判定において、再生モードの終了操作がなされていない場合に、制御部１０５は、ＨＤＭＩ端子部１０７の信号状態から、ＨＤＭＩケーブル３００を介してＴＶ２００と接続されているか否かを判定する（ステップＳ１３１）。ステップＳ１３１の判定において、ＨＤＭＩ接続がなされている場合に、制御部１０５は、記録部１０３内の個々のアルバムを示すサムネイル画像を、ＨＤＭＩ端子部１０７を介してＴＶ２００に送信する（ステップＳ１３２）。これにより、例えば図４に示すようにして、アルバムを示すサムネイル画像２０２ａがＴＶ２００の表示部２０２に表示される。なお、ステップＳ１３２では、アルバムを示すサムネイル画像を送信するようにしているが、例えば記録部１０３に記録されている最新の撮影画像等の特定の撮影画像を送信するようにしても良い。
【００４２】
サムネイル画像の送信後、制御部１０５は、ＴＶ２００に送信したサムネイル画像と同じサムネイル画像を背面ＬＣＤ１０２ａにも表示させる（ステップＳ１３３）。その後、制御部１０５は、ユーザによるタッチパネル１０２ｂの操作がなされたか否かを判定する（ステップＳ１３４）。ステップＳ１３４の判定において、タッチパネル１０２ｂの操作がなされた場合に、制御部１０５は、タッチパネル１０２ｂの操作に従って選択された撮影画像（選択画像）を、ＨＤＭＩ端子部１０７を介してＴＶ２００に送信する（ステップＳ１３５）。また、ステップＳ１３４の判定において、タッチパネル１０２ｂの操作がなされていない場合に、処理がステップＳ１３１に戻る。
【００４３】
例えば、図４のような表示がなされている際に、ユーザがタッチパネル１０２ｂを操作して背面ＬＣＤ１０２ａに表示されているアルバムの選択を行うと、図５のようにして各アルバムに記録されている撮影画像を示すサムネイル画像１０２１ａが背面ＬＣＤ１０２ａに表示される。ユーザがサムネイル画像１０２１ａの何れかを選択することで、選択画像がＴＶ２００に送信される。これにより、ＴＶ２００の表示部２０２に選択画像２０２ｂが表示される。このように、ＴＶ２００に実際に表示させる選択画像の選択をデジタルカメラ１００の表示パネル１０２上で行えるようにすれば、ユーザが見せたくないと考えている画像が不意にＴＶ２００の表示部２０２に表示されてしまうようなことがない。
【００４４】
また、図５のようにして選択画像がＴＶ２００の表示部２０２に表示された後は、デジタルカメラ１００を用いて操作を行うよりも、図６に示すようにして、音量操作や色等の調節することもできるリモコン４００で操作した方が自然である。したがって、以後の操作は基本的にはリモコン４００の操作に従って行えるようにする。このために、選択画像の送信後、制御部１０５は、ユーザによってリモコン４００が操作されたか、即ちＨＤＭＩ端子部１０７を介して制御信号が受信されたか否かを判定する（ステップＳ１３６）。ステップＳ１３６の判定において、制御信号が受信された場合に、制御部１０５は、背面ＬＣＤ１０２ａの電源をオフさせる（ステップＳ１３７）。この際、タッチパネル１０２ｂの電源もオフさせるようにしても良い。
【００４５】
背面ＬＣＤ１０２ａ（及びタッチパネル１０２ｂ）の電源をオフさせた後、制御部１０５は、ＨＤＭＩ端子部１０７を介して、リモコン４００の操作の詳細を示す制御信号を受信する（ステップＳ１３８）。そして、制御部１０５は、受信した制御信号からリモコン４００の操作の内容に応じた処理（例えば、コマ送り、拡大、縮小等）を行う（ステップＳ１３９）。例えば、コマ送りの場合に、制御部１０５は、ステップＳ１３５において送信した選択画像に対して次に撮影日時が新しい撮影画像を新たな選択画像としてＴＶ２００に送信する。また、拡大や縮小の場合に、制御部１０５は、ステップＳ１３５において送信した選択画像を拡大又は縮小した画像を新たな選択画像としてＴＶ２００に送信する。
【００４６】
リモコン４００の操作に応じた処理を行った後、制御部１０５は、振動検知部１０４の出力からデジタルカメラ１００の振動が検知されたか、或いはユーザによるタッチパネル１０２ｂの操作がなされたか（ステップＳ１３７においてタッチパネルの電源をオフさせない場合）否かを判定する（ステップＳ１４０）。ステップＳ１４０の判定において、デジタルカメラ１００の振動が検知された場合、或いはタッチパネル１０２ｂの操作がなされた場合に、制御部１０５は、背面ＬＣＤ１０２ａ（及びタッチパネル１０２ｂ）の電源をオンさせる（ステップＳ１４１）。そして、制御部１０５は、ＨＤＭＩ端子部１０７を介して、選択画像の送信を行う（ステップＳ１４２）。その後、処理がステップＳ１３１に戻る。
【００４７】
このように、本実施形態では、再生モード中においてもＴＶ２００に撮影画像が表示中であり且つリモコン４００が操作された場合に、背面ＬＣＤ１０２ａ（及びタッチパネル１０２ｂ）の電源をオフさせることで省エネルギー化を図る。また、デジタルカメラ１００の振動が検知されたり、タッチパネル１０２ｂの操作がなされたりした場合には、背面ＬＣＤ１０２ａ（及びタッチパネル１０２ｂ）の電源をオンさせるようにしている。これにより、直ちにデジタルカメラ１００を用いた撮影画像の選択を行うことが可能である。
【００４８】
また、ステップＳ１４０の判定において、デジタルカメラ１００の振動が検知されておらず、タッチパネル１０２ｂの操作もなされていない場合に、制御部１０５は、ＨＤＭＩ端子部１０７を介して、選択画像の送信を行う（ステップＳ１４３）。その後、処理がステップＳ１３８に戻る。
【００４９】
また、ステップＳ１３１の判定において、ＨＤＭＩ接続がなされていない場合に、制御部１０５は、記録部１０３内の個々のアルバムを示すサムネイル画像を背面ＬＣＤ１０２ａに表示させる（ステップＳ１４４）。サムネイル画像の表示後、制御部１０５は、ユーザによるタッチパネル１０２ｂの操作がなされたか否かを判定する（ステップＳ１４５）。ステップＳ１４５の判定において、タッチパネル１０２ｂの操作がなされていない場合には処理がステップＳ１３０に戻る。一方、ステップＳ１４５の判定において、タッチパネル１０２ｂの操作がなされた場合に、制御部１０５は、タッチパネル１０２ｂの操作に従って選択された撮影画像（選択画像）を背面ＬＣＤ１０２ａに表示させる（ステップＳ１４６）。その後、処理がステップＳ１３０に戻る。この場合に、制御部１０５は、再生モードの終了操作がなされた否かを再び判定する。
【００５０】
以上説明したように、本実施形態によれば、ＴＶ２００に撮影画像が表示中で且つリモコン４００が操作された後は、背面ＬＣＤ１０２ａ及びタッチパネル１０２ｂの電源をオフさせることで省エネルギー化を図ることが可能である。また、撮影モード時と再生モード時とで背面ＬＣＤ１０２ａ及びタッチパネル１０２ｂの電源オンの条件を異ならせることで、それぞれのモードに対して最適な省エネルギー制御を行うことが可能である。
【００５１】
なお、図１に示す画像再生システムは、例えば、図７（ａ）に示すように、デジタルカメラ１００で撮影されつつある画像（スルー画像）をＴＶ２００に拡大して大勢のユーザで見たり、図７（ｂ）に示すように、撮影により得られる撮影画像をＴＶ２００に拡大して見たりするような利用法も考えられる。このような利用形態を考えた場合、次の撮影がすぐに行われると、ユーザは撮影画像を良く見ることができない。したがって、デジタルカメラ１００から撮影画像の送信を開始した後は、しばらくの間は同じ撮影画像を繰り返し送信しつづけてＴＶ２００には所定期間の間、同じ撮影画像が表示されるようにすることが望ましい。この処理が図２のステップＳ１２７の処理である。なお、この同じ撮影画像を繰り返し送信する期間を、例えばリモコン４００の操作によって延長できるようにしても良い。さらに、撮影画像を繰り返し送信している期間であっても、デジタルカメラ１００の背面ＬＣＤ１０２ａの表示は、次の撮影の準備のためにスルー画像を表示させておくことが好ましい。
【００５２】
［第２の実施形態］
次に、本発明の第２の実施形態について説明する。ここで、画像再生システムの構成は図１で示した構成をそのまま適用することが可能である。したがって、ここでは説明を省略する。
【００５３】
図８は、本発明の第２の実施形態におけるデジタルカメラ１００の起動後に行われる撮影モード時の動作について示すフローチャートである。なお、図８において図２と同様の処理が行われる部分については図２と同様のステップ番号を付すことで説明を省略する。即ち、図８のステップＳ１０１〜ステップＳ１１９までの処理は図２と同様である。ただし、図８においては、図２のステップＳ１１５の処理がなく、ステップＳ１１３の判定において、撮影画像が送信済みである場合にはステップＳ１１５の処理が行われずにステップＳ１１７の処理が行われる。
【００５４】
図８のステップＳ１１９において、記録部１０３に撮影画像を記録させた後、制御部１０５は、撮影画像とスルー画像の合成を行い、撮影画像とスルー画像の合成画像を、ＨＤＭＩ端子部１０７を介してＴＶ２００に送信する（ステップＳ２０１）。ステップＳ２０１においては、例えば図９（ａ）に示すようにして、ＴＶ２００の表示部２０２のサブ画面（例えば画面左上の小領域）に撮影画像２０２ｂが配置され、ＴＶ２００の表示部２０２のメイン画面（画面全領域）にスルー画像２０２ｃが配置されるような合成画像を生成する。このために、制御部１０５は、撮像部１０１を介して得られるスルー画像の左上部に撮影画像を合成する。
【００５５】
合成画像の送信後、制御部１０５は、ユーザによってリモコン４００が操作されたか、即ちＨＤＭＩ端子部１０７を介して制御信号が受信されたか否かを判定する（ステップＳ２０２）。ステップＳ２０２の判定において、制御信号が受信されていない場合には処理がステップＳ１０４に戻る。この場合に、制御部１０５は、ＨＤＭＩ接続がなされているか否かを再び判定する。また、ステップＳ２０２の判定において、制御信号が受信された場合に、制御部１０５は、ＴＶ２００に撮影画像（スルー画像との合成画像も含む）を送信済みであるか否かを判定する（ステップＳ２０３）。ステップＳ２０３の判定において、撮影画像を送信済みでない場合には処理がステップＳ１０４に戻る。この場合に、制御部１０５は、ＨＤＭＩ接続がなされているか否かを再び判定する。
【００５６】
また、ステップＳ２０３の判定において、撮影画像を送信済みである場合に、制御部１０５は、制御信号を識別し、リモコン４００の操作内容がフリーズ指示であるか否かを判定する（ステップＳ２０４）。フリーズ指示とは、ユーザがＴＶ２００の表示部２０２に表示された撮影画像を長時間に渡って見たいと思ったときにユーザがリモコン４００を操作することでなされる指示である。
【００５７】
ステップＳ２０４の判定において、リモコン４００の操作内容がフリーズ指示である場合に、制御部１０５は、背面ＬＣＤ１０２ａの電源をオフさせる（ステップＳ２０５）。また、制御部１０５は、タッチパネル１０２ｂの電源もオフさせる（ステップＳ２０６）。背面ＬＣＤ１０２ａ、タッチパネル１０２ｂの電源をオフさせた後、制御部１０５は、ＨＤＭＩ端子部１０７を介して、送信済みの撮影画像をスルー画像と合成せずにＴＶ２００に送信する（ステップＳ２０７）。次に、制御部１０５は、ユーザによってリモコン４００が操作されたか、即ちＨＤＭＩ端子部１０７を介して制御信号が受信されたか否かを判定する（ステップＳ２０８）。ステップＳ２０８の判定において、制御信号が受信された場合には処理がステップＳ２０４に戻る。この場合に、制御部１０５は、リモコン４００の操作内容がフリーズ指示であるか否かを再び判定する。また、ステップＳ２０８の判定において、制御信号が受信されていない場合に、制御部１０５は、所定時間が経過したかを判定する（ステップＳ２０９）。ステップＳ２０９の判定において、所定時間が経過していない場合には処理がステップＳ２０８に戻る。また、ステップＳ２０９の判定において、所定時間が経過した場合には処理がステップＳ２１６に移行する。ステップＳ２１６の処理については後述する。
【００５８】
ステップＳ２０７〜Ｓ２０９の処理を行うことにより、フリーズ指示がなされた後、所定時間の間、リモコン操作がなされない場合には同じ撮影画像がＴＶ２００の表示部２０２に表示される。また、この間、背面ＬＣＤ１０２ａ、タッチパネル１０２ｂの電源をオフさせることで、デジタルカメラ１００の省エネルギー化も図ることが可能となる。
【００５９】
また、ステップＳ２０４の判定において、リモコン４００の操作内容がフリーズ指示でない場合に、制御部１０５は、リモコン４００の操作内容が反映指示であるか否かを判定する（ステップＳ２１０）。反映指示とは、ユーザがＴＶ２００の表示部２０２に表示された撮影画像に対して所定の加工を施したいと思ったときにユーザがリモコン４００を操作することでなされる指示である。ＴＶ２００の表示部２０２にスルー画像２０２ｃが表示されている際にユーザがリモコン４００を操作することで、ＴＶ２００の画像加工部２０５に記憶されている加工画像が図９（ｂ）の参照符号２０２ｄで示すようにしてスルー画像２０２ｃに重畳表示される。この状態において、ユーザはリモコン４００を操作して加工画像２０２ｄの表示位置を移動させることができる。さらに、リモコン４００を操作して加工画像２０２ｄの表示位置を確定すると、ＴＶ２００の画像加工部２０５に記憶されている加工画像とその重畳位置の情報とが反映指示としてデジタルカメラ１００に送られる。なお、画像加工部２０５に複数種類の加工画像を記憶させておき、ユーザのリモコン４００の操作によって複数種類の加工画像の中からユーザが所望する加工画像を選択できるようにしても良い。
【００６０】
ステップＳ２１０の判定において、リモコン４００の操作内容が反映指示である場合に、制御部１０５は、ＴＶ２００から送信されてきた加工画像を背面ＬＣＤ１０２ａに表示中のスルー画像に重畳表示させる（ステップＳ２１１）。そして、制御部１０５は、記録指示がなされたか否かを判定する（ステップＳ２１２）。記録指示がなされたか否かの判定は例えば操作ボタン部１０６に含まれるレリーズボタンがユーザによって押されたか否かを判定することによって行う。ステップＳ２１２の判定において、記録指示がなされていない場合には処理がステップＳ２０８に移行する。この場合に、制御部１０５は、ユーザによってリモコン４００が操作されたか、即ちＨＤＭＩ端子部１０７を介して制御信号が受信されたか否かを再び判定する。また、ステップＳ２１２の判定において、記録指示がなされた場合に、制御部１０５は、現在、撮像部１０１によって取得されているスルー画像に対して記録用の画像処理を施した後、記録部１０３に記録させる（ステップＳ２１３）。なお、加工画像が重畳表示されている場合には、その加工画像をスルー画像に合成してから記録部１０３に記録させる。ステップＳ２１３の処理後、処理がステップＳ２０８に戻る。
【００６１】
ステップＳ２１１〜Ｓ２１３の処理を行うことによって、ＴＶ２００の表示部２０２に表示されているデコレーションがなされた画像と同じ画像をデジタルカメラ１００の記録部１０３にも記録させることが可能となる。このような技術は、例えば、ＴＶ２００の表示部２０２に表示されている画像に対し、画像の鑑賞者がリモコン４００でデコレーションを施すような鑑賞者参加型の用途に応用することが可能である。
【００６２】
また、ステップＳ２１０の判定において、リモコン４００の操作内容が反映指示でない場合に、制御部１０５は、フリーズ指示、反映指示以外のその他のリモコン操作指示（コマ送り、拡大、縮小等）に応じた処理を行う（ステップＳ２１４）。次に、制御部１０５は、ＨＤＭＩ端子部１０７を介して終了指示を示す制御信号が受信されたか否かを判定する（ステップＳ２１５）。ユーザはＴＶ２００の表示部２０２への撮影画像の表示を終了させる場合にリモコン４００により終了操作を行う。これを受けてＴＶ２００からデジタルカメラ１００に終了指示を示す制御信号が送信される。ステップＳ２１５の判定において、終了指示を示す制御信号が受信されていない場合には処理がステップＳ２０８に戻る。この場合に、制御部１０５は、ユーザによってリモコン４００が操作されたか、即ちＨＤＭＩ端子部１０７を介して制御信号が受信されたか否かを再び判定する。また、ステップＳ２１５の判定において、終了指示を示す制御信号が受信された場合に、制御部１０５は、背面ＬＣＤ１０２ａの電源をオンさせる（ステップＳ２１６）。また、制御部１０５は、タッチパネル１０２ｂの電源もオンさせる（ステップＳ２１７）。その後、処理がステップＳ１０４に戻る。
【００６３】
以上説明したように、第２の実施形態においても、ユーザがデジタルカメラ１００の背面ＬＣＤ１０２ａを見ておらず、また、タッチパネル１０２ｂの操作も行わないと考えられる期間中において、背面ＬＣＤ１０２ａ、タッチパネル１０２ｂの電源をオフすることにより、省エネルギー化を図ることが可能である。
【００６４】
以上実施形態に基づいて本発明を説明したが、本発明は上述した実施形態に限定されるものではなく、本発明の要旨の範囲内で種々の変形や応用が可能なことは勿論である。
【００６５】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００６６】
１００…デジタルカメラ、１０１…撮像部、１０２…表示パネル、１０２ａ…背面液晶ディスプレイ（背面ＬＣＤ）、１０２ｂ…タッチパネル、１０３…記録部、１０４…振動検知部、１０５…制御部、１０５ａ…表示制御部、１０５ｂ…電源制御部、１０６…操作ボタン部、１０７…ＨＤＭＩ端子部、２００…テレビジョン受像機（ＴＶ）、２０１…ＨＤＭＩ端子部、２０２…表示部、２０３…表示制御部、２０４…リモコン信号受信部、２０５…画像加工部、３００…ＨＤＭＩケーブル、４００…リモートコントローラ（リモコン）、４０１…リモコン操作部、４０２…リモコン制御部、４０３…リモコン信号送信部
【図１】
2014112893.tif 000003
【図２】
2014112893.tif 000004
【図３】
2014112893.tif 000005
【図４】
2014112893.tif 000006
【図５】
2014112893.tif 000007
【図６】
2014112893.tif 000008
【図７】
2014112893.tif 000009
【図８】
2014112893.tif 000010
【図９】
2014112893.tif 000011